(57)【要約】【課題】防水性能の低下を抑えつつ、薄型化を図ることができる防水型電子機器を提供する。【解決手段】コネクタハウジング１０は、筒状部１１とフランジ部１２とを有する。本体ケース２０の取付部２１は、筒状部１１の前部を挿入可能な取付孔２１ａと、フランジ部１２とともに防水用弾性リング３０を挟圧する環状圧接部２２とを有する。防水用弾性リング３０は、環状圧接部２２に圧接される前部３１からフランジ部１２に圧接される後部３２に向かうにしたがって内周面３０ｃから外周面３０ｄまでの厚みが小さくなるように、且つ、上下方向の外径が環状圧接部２２の外径寸法ＯＤより小さくなるように設定された。フランジ部１２は、上下方向の寸法が環状圧接部２２の外径寸法ＯＤより小さく、且つ、防水用弾性リング３０の後部３２の外周面３０ｄが収容されるように前方に突出形成された環状規制部１２ａを備えた。【選択図】図６
2016096067.tif 000002
【特許請求の範囲】
【請求項１】
上下方向に薄い形状の本体ケースと、前記本体ケースの前後方向の内外を連通するように形成された取付部に取付けられたコネクタハウジングと、前記取付部から前記本体ケースの内部へ水が浸入しないように前記コネクタハウジングに装着される防水用弾性リングと、を備え、
前記コネクタハウジングは、前端に開口を有する筒状部と、前記筒状部の外周部に形成されたフランジ部と、を有し、前記防水用弾性リングが前記フランジ部の前側において前記外周部に嵌装され、
前記取付部は、前記筒状部の前部を挿入可能な取付孔と、前記取付孔に前記筒状部の前記外周部が挿入されたときに前記フランジ部とともに前記防水用弾性リングを挟圧する環状圧接部と、を有する防水型電子機器であって、
前記防水用弾性リングは、前記環状圧接部に圧接される前部から前記フランジ部に圧接される後部に向かうにしたがって内周面から外周面までの厚みが小さくなるように、且つ、前記上下方向の外径が前記環状圧接部の外径寸法より小さくなるように設定され、
前記フランジ部は、前記上下方向の寸法が前記環状圧接部の前記外径寸法より小さく、且つ、前記防水用弾性リングの前記後部の前記外周面が収容されるように前方に突出形成された環状規制部を備えたことを特徴とする防水型電子機器。
【請求項２】
前記防水用弾性リングは、前記前部の前記内周面側において前方に突出するように形成された環状突起部を備え、
前記環状圧接部は、その内周側に前記環状突起部を収容可能な凹部が設けられたことを特徴とする請求項１に記載の防水型電子機器。
【請求項３】
前記環状突起部は前方に向かって外径が小さくなるテーパー面を有し、
前記凹部は、前記テーパー面に当接するガイド部を備えたことを特徴とする請求項２に記載の防水型電子機器。
【発明の詳細な説明】
【技術分野】
【０００１】
本発明は、薄型化された本体ケースの内部が水に濡れないように防水用弾性リングを備えた防水型電子機器に関する。
【背景技術】
【０００２】
特許文献１に携帯機器のジャック固定構造が開示されている。
【０００３】
図９は、下ケーシング９２０にＤＣジャック９８０が取付けられる前の下ケーシング９２０とＤＣジャック９８０とを示す断面図であり、図１０は、Ｏリング９９１が下ケーシング９２０に当接するまでＤＣジャック９８０を移動させた状態を示す断面図である。図９に示すように、下ケーシング９２０には、取り付け穴９７１の内側に壁面９７２が形成されている。ＤＣジャック９８０は、、直方体状の本体９８１の一面にプラグと接続されるコネクタを内包する円筒状の突起部９８２を形成して構成されている。ＤＣジャック９８０の突起部９８２の外周にゴム製のＯリング９９１を装着し、下ケーシング９２０の内側から、突起部９８２を下ケーシング９２０に形成された取り付け穴９７１に挿入する。図１０に示すように、耐水性および弾性を持つＯリング９９１をＤＣジャック９８０と下ケーシング９２０との間に挟み込むことにより、防水機能を持たせることができる。
【０００４】
図１０では、下ケーシング９２０の取り付け穴９７１の内側に形成された壁面９７２が、Ｏリング９９１を収納する空間の外壁（弾性リング収納部）を構成している。
【０００５】
一方、近年、携帯機器はますます薄型化されてきている。そのため、Ｏリングより薄く、且つ防水機能を安定化させるための扁平形状の防水用弾性リングが検討されている。これにより、薄型化できるとともに、挟圧する方向の寸法を長くして防水に必要な弾性力を確保できるようになる。
【先行技術文献】
【特許文献】
【０００６】
【特許文献１】特開２０１２−０８９３９０号公報
【発明の概要】
【発明が解決しようとする課題】
【０００７】
しかしながら、さらなる薄型化のため、このような防水型電子機器において、防水用弾性リングの上下に弾性リング収納部を備えている構造が採用できなくなってきた。弾性リング収納部をなくして、圧接方向に長い寸法を有する扁平形状の防水用弾性リングを挟圧したときには、外側への膨らみをコントロールすることができず、例えば化粧パネル等で薄型化したスマートフォン等に適用した場合、化粧パネルが押し拡げられて剥がれてしまうという問題を生じていた。このため、従来の構造では、防水性能の低下を抑えつつ、薄型化を図ることが困難であるという課題があった。
【０００８】
本発明は、上述した課題を解決するもので、防水性能の低下を抑えつつ、薄型化を図ることができる防水型電子機器を提供することを目的とする。
【課題を解決するための手段】
【０００９】
本発明の防水型電子機器は、上下方向に薄い形状の本体ケースと、前記本体ケースの前後方向の内外を連通するように形成された取付部に取付けられたコネクタハウジングと、前記取付部から前記本体ケースの内部へ水が浸入しないように前記コネクタハウジングに装着される防水用弾性リングと、を備え、前記コネクタハウジングが、前端に開口を有する筒状部と、前記筒状部の外周部に形成されたフランジ部と、を有し、前記防水用弾性リングが前記フランジ部の前側において前記外周部に嵌装され、前記取付部が、前記筒状部の前部を挿入可能な取付孔と、前記取付孔に前記筒状部の前記外周部が挿入されたときに前記フランジ部とともに前記防水用弾性リングを挟圧する環状圧接部と、を有する防水型電子機器であって、前記防水用弾性リングは、前記環状圧接部に圧接される前部から前記フランジ部に圧接される後部に向かうにしたがって内周面から外周面までの厚みが小さくなるように、且つ、前記上下方向の外径が前記環状圧接部の外径寸法より小さくなるように設定され、前記フランジ部は、前記上下方向の寸法が前記環状圧接部の前記外径寸法より小さく、且つ、前記防水用弾性リングの前記後部の前記外周面が収容されるように前方に突出形成された環状規制部を備えたことを特徴とする。
【００１０】
この構成によれば、防水用弾性リングの後部だけを薄くしたので、弾性力が大きく低下せず、防水性能を維持することができる。また、環状規制部によって防水用弾性リングの外側への膨らみを規制することができ、本体ケースおよびコネクタハウジングの薄型化を図ることができる。
【００１１】
また、本発明の防水型電子機器において、前記防水用弾性リングは、前記前部の前記内周面側において前方に突出するように形成された環状突起部を備え、前記環状圧接部は、その内周側に前記環状突起部を収容可能な凹部が設けられたことを特徴とする。
【００１２】
この構成によれば、環状突起部を凹部に収容することにより、防水用弾性リングの外側への膨らみをさらに規制することができ、本体ケースおよびコネクタハウジングの薄型化を図ることができる。
【００１３】
また、本発明の防水型電子機器において、前記環状突起部は前方に向かって外径が小さくなるテーパー面を有し、前記凹部は、前記テーパー面に当接するガイド部を備えたことを特徴とする。
【００１４】
この構成によれば、環状突起部のテーパー面がガイド部に適切に収容されるので、安定して防水性能を得ることができる。
【発明の効果】
【００１５】
本発明によれば、防水用弾性リングの後部だけを薄くしたので、弾性力が大きく低下せず、防水性能を維持することができる。また、環状規制部によって防水用弾性リングの外側への膨らみを規制することができ、本体ケースおよびコネクタハウジングの薄型化を図ることができる。したがって、防水性能の低下を抑えつつ、薄型化を図ることができる防水型電子機器を提供することができる。
【図面の簡単な説明】
【００１６】
【図１】本発明の実施形態の防水型電子機器を示す斜視図である。
【図２】本発明の実施形態の防水型電子機器を示す平面図である。
【図３】本発明の実施形態の防水型電子機器を示す分解斜視図である。
【図４】図３に示す本体ケースを斜め上方の異なる方向から見た部分拡大図である。
【図５】図３に示す防水用弾性リングの拡大図である。
【図６】図２のＶＩ−ＶＩ線で切断した模式断面図である。
【図７】挟圧前の状態を示す模式断面図である。
【図８】比較例の挟圧後の状態を示す模式断面図である。
【図９】従来のジャック固定構造における下ケーシングとＤＣジャックとを示す断面図である。
【図１０】従来のジャック固定構造において、Ｏリングが下ケーシングに当接するまでＤＣジャックを移動させた状態を示す断面図である。
【発明を実施するための形態】
【００１７】
［第１実施形態］
以下、本発明の実施の形態について図面を用いて詳細に説明する。なお、分かりやすいように、図面は寸法を適宜変更している。
【００１８】
図１は、本発明の実施形態の防水型電子機器１を示す斜視図である。図２は、本発明の実施形態の防水型電子機器１を示す平面図である。図３は、本発明の実施形態の防水型電子機器１を示す分解斜視図である。図４は、図３に示す本体ケース２０を斜め上方の異なる方向から見た部分拡大図である。図５は、図３に示す防水用弾性リング３０の拡大図である。図６は、図２のＶＩ−ＶＩ線で切断した模式断面図である。図７は、挟圧前の状態を示す模式断面図である。
【００１９】
本実施形態の防水型電子機器１は、図１〜図３に示すように、コネクタハウジング１０が本体ケース２０に取付けられ、防水用弾性リング３０が本体ケース２０の内部へ水が浸入しないようにコネクタハウジング１０に装着されている。以下、説明を分かりやすくするために、図１に示すＺ１側を上側、Ｚ２側を下側、Ｙ１側を前側、Ｙ２側を後側とする。なお、防水型電子機器１は、コネクタハウジング１０、本体ケース２０、および防水用弾性リング３０の他にも、図示しない各種電子部品および電源と、図１に示す上パネル６１と下パネル６２とを少なくとも備えるが、これらについて本明細書では省略する。
【００２０】
コネクタハウジング１０は、例えば、イヤホン用プラグが装着されるジャックコネクタのハウジングである。コネクタハウジング１０は、図３に示すように、本体部１３と、前端に開口１０ａを有する筒状部１１と、筒状部１１の外周部１１ａに形成されたフランジ部１２と、を有している。フランジ部１２は、前方に突出形成された環状規制部１２ａを備えている（図５参照）。コネクタハウジング１０は、合成樹脂を成形して形成され、本体部１３に図示しないコネクタ端子が一体化されている。
【００２１】
本体ケース２０は、合成樹脂を成形して形成されたものである。なお、これに限らず、金属を加工して形成してもよい。本実施形態の防水型電子機器１は上下方向に薄型化されており、本体ケース２０は上下方向に薄い形状となっている。本体ケース２０には開口部２０ａが形成されている。本体ケース２０は、開口部２０ａの部分に、前後方向の内外を連通するように取付部２１が形成されている。図４に示すように、取付部２１は、開口部２０ａに連続する取付孔２１ａと、取付孔２１ａを囲む環状圧接部２２とを有している。環状圧接部２２には、テーパー形状の凹部２３が設けられている。
【００２２】
防水用弾性リング３０は、シリコンゴムを成形して形成されたものである。なお、これに限らず、耐水性および弾性を持つ材料が成形されたものであってもよい。防水用弾性リング３０は、図５に示すように、開口３０ａを有し、開口３０ａを囲む前面側が弾接面３０ｂになっている。開口３０ａを形成する内周面３０ｃは、コネクタハウジング１０の筒状部１１の外周部１１ａに合わせた形状に成形されている。また、防水用弾性リング３０の外周面３０ｄは、内周面３０ｃから外周面３０ｄ（３１ｄ）までの厚みが大きく成形された前部３１に比べて、内周面３０ｃから外周面３０ｄ（３２ｄ）までの厚みが小さくなるように後部３２が形成されている。また、前部３１の内周面３０ｃ側において、環状突起部３３が弾接面３０ｂよりも前方に突出するように形成されている。環状突起部３３は、前方に向かって外径が小さくなるテーパー面３３ａを有している。
【００２３】
次に、コネクタハウジング１０、本体ケース２０、および防水用弾性リング３０の関係について説明する。
【００２４】
防水用弾性リング３０は、フランジ部１２の前側において外周部１１ａに嵌装される。防水用弾性リング３０を装着したコネクタハウジング１０が本体ケース２０に後側から取付けられる。本実施形態の防水型電子機器１は、上下方向に薄い形状の本体ケース２０に、図１に示す上パネル６１と下パネル６２とを貼り合わせて、上下方向に薄型化された構成となっている。このため、本体ケース２０に防水用弾性リング３０を装着したコネクタハウジング１０を取付けても、その後で装着される上パネル６１および下パネル６２に外観上の不具合が見られないように考慮されている。すなわち、図１および図２に示すように、防水用弾性リング３０が上側（および下側）に露出している部分が、上パネル６１（および下パネル６２）に当接しないように考慮される。
【００２５】
本実施形態では、図６に示すように、本体ケース２０の取付部２１に設けられた取付孔２１ａを囲む環状圧接部２２の上下方向の外径寸法ＯＤを基準として、フランジ部１２の上下方向の寸法が環状圧接部２２の外径寸法ＯＤより僅かに小さく形成されている。前述のように、フランジ部１２は環状規制部１２ａを備えているが、この環状規制部１２ａの外径も同じ寸法であり、環状圧接部２２の外径寸法ＯＤより僅かに小さく形成されている。
【００２６】
防水用弾性リング３０は、後部３２が筒状部１１の外周部１１ａとフランジ部１２の環状規制部１２ａとの間に設けられた環状空間に収納され、フランジ部１２に圧接される。一方、環状突起部３３のテーパー面３３ａが環状圧接部２２の凹部２３のガイド部２３ａに当接し、前部３１が環状圧接部２２に圧接される。このとき、図７に示す挟圧前の状態から、図６に示す挟圧後の状態に、防水用弾性リング３０は前後方向に圧縮される。
【００２７】
本実施形態では、図６に示す挟圧後の状態でも、防水用弾性リング３０の前部３１における上下方向の外径が、環状圧接部２２の外径寸法ＯＤより小さくなるように設定される。これにより、本実施形態の防水型電子機器１は、上下方向に環状圧接部２２の外径寸法ＯＤからはみ出すことがないので、フランジ部１２および防水用弾性リング３０が上パネル６１および下パネル６２に当接しないようになっている。
【００２８】
また、本実施形態では、取付け時に、防水用弾性リング３０の後部３２が環状規制部１２ａに収納され、環状突起部３３のテーパー面３３ａが環状圧接部２２の凹部２３のガイド部２３ａに沿って挿入されていくので、確実に所望の状態になるように取付けることができる。
【００２９】
比較例として、防水用弾性リング３０の前部３１と同じ上下方向の外径を有する防水用弾性リング１３０と、環状規制部１２ａを備えていないフランジ部１１２のコネクタハウジング１１０との組合せを検討した。なお、本体ケース２０は上述のものである。この構造の比較例を用いて、図６に示す挟圧後と同様の状態に防水用弾性リング１３０を前後方向に圧縮した。図８は、比較例の挟圧後の状態を示す模式断面図である。Ｏリングと異なり、扁平形状の防水用弾性リング１３０は、弾性圧縮によって中央部分が膨らむように変形する。これは、弾性力によって、もっとも変形しやすい形状に変形するためである。このため、上下方向に環状圧接部２２の外径寸法ＯＤからはみ出すことがある。これにより、装着される上パネル６１および下パネル６２が変形したり、上パネル６１および下パネル６２を固定する粘着材が剥がれたりする外観不良を発生させることがある。
【００３０】
これに対し、本実施形態では、フランジ部１２に環状規制部１２ａを備え、防水用弾性リング３０の後部３２が環状規制部１２ａによって膨らまないように規制されているので、図８の変形とは異なり、図６に示すように上下方向に環状圧接部２２の外径寸法ＯＤからはみ出すことがない。また、防水用弾性リング３０の環状突起部３３のテーパー面３３ａが環状圧接部２２の凹部２３のガイド部２３ａに当接するので、前部３１が膨らまないように規制される。なお、環状突起部３３を備えていない場合でも、前部３１の前後方向の寸法が短く、且つ、後部３２が環状規制部１２ａによって膨らまないように規制されていれば、上下方向に環状圧接部２２の外径寸法ＯＤからはみ出すことがない。
【００３１】
本実施形態の防水型電子機器１は、防水用弾性リング３０の後部３２だけを薄くしたので、弾性力が大きく低下せず、防水性能を維持することができる。また、環状規制部１２ａによって防水用弾性リング３０の外側への膨らみを規制することができ、本体ケース２０およびコネクタハウジング１０の薄型化を図ることができる。したがって、防水性能の低下を抑えつつ、薄型化を図ることができる。さらに、環状突起部３３を凹部２３に収容することにより、より一層、本体ケース２０およびコネクタハウジング１０の薄型化を図ることができる。
【００３２】
以下、本実施形態としたことによる効果について説明する。
【００３３】
本実施形態の防水型電子機器１は、上下方向に薄い形状の本体ケース２０と、本体ケース２０の前後方向の内外を連通するように形成された取付部２１に取付けられたコネクタハウジング１０と、防水用弾性リング３０とを備える。防水用弾性リング３０は、取付部２１から本体ケース２０の内部へ水が浸入しないようにコネクタハウジング１０に装着される。コネクタハウジング１０が、前端に開口１０ａを有する筒状部１１と、筒状部１１の外周部１１ａに形成されたフランジ部１２と、を有し、防水用弾性リング３０がフランジ部１２の前側において外周部１１ａに嵌装される。さらに、取付部２１が、筒状部１１の前部を挿入可能な取付孔２１ａと、取付孔２１ａに筒状部１１の外周部１１ａが挿入されたときにフランジ部１２とともに防水用弾性リング３０を挟圧する環状圧接部２２と、を有する。そして、防水用弾性リング３０は、環状圧接部２２に圧接される前部３１からフランジ部１２に圧接される後部３２に向かうにしたがって内周面３０ｃから外周面３０ｄまでの厚みが小さくなるように、且つ、上下方向の外径が環状圧接部２２の外径寸法ＯＤより小さくなるように設定される。さらに、フランジ部１２は、上下方向の寸法が環状圧接部２２の外径寸法ＯＤより小さく、且つ、防水用弾性リング３０の後部３２の外周面３０ｄが収容されるように前方に突出形成された環状規制部１２ａを備える。
【００３４】
この構成によれば、防水用弾性リング３０の後部３２だけを薄くしたので、弾性力が大きく低下せず、防水性能を維持することができる。また、環状規制部１２ａによって防水用弾性リング３０の外側への膨らみを規制することができ、本体ケース２０およびコネクタハウジング１０の薄型化を図ることができる。
【００３５】
また、本実施形態の防水型電子機器１において、防水用弾性リング３０は、前部３１の内周面３０ｃ側において前方に突出するように形成された環状突起部３３を備え、環状圧接部２２は、その内周側に環状突起部３３を収容可能な凹部２３が設けられる。
【００３６】
この構成によれば、環状突起部３３を凹部２３に収容することにより、防水用弾性リング３０の外側への膨らみをさらに規制することができ、本体ケース２０およびコネクタハウジング１０の薄型化を図ることができる。
【００３７】
また、本実施形態の防水型電子機器１において、環状突起部３３は前方に向かって外径が小さくなるテーパー面３３ａを有し、凹部２３は、テーパー面３３ａに当接するガイド部２３ａを備える。
【００３８】
この構成によれば、環状突起部３３のテーパー面３３ａがガイド部２３ａに適切に収容されるので、安定して防水性能を得ることができる。
【００３９】
以上のように、本発明の実施形態の防水型電子機器１を具体的に説明したが、本発明は上記の実施形態に限定されるものではなく、要旨を逸脱しない範囲で種々変更して実施することが可能である。例えば次のように変形して実施することができ、これらも本発明の技術的範囲に属する。
【００４０】
（１）本実施形態において、環状突起部３３は前方に向かって外径が小さくなるテーパー面３３ａを有し、凹部２３は、テーパー面３３ａに当接するガイド部２３ａを備えるとしたが、防水用弾性リング３０の外側への膨らみを規制できる形状であれば、他の形状に変更してもよい。また、前述のように、前部３１の前後方向の寸法が短く、且つ、後部３２が環状規制部１２ａによって膨らまないように規制されていれば、環状突起部３３を備えていなくてもよい。
【００４１】
（２）本実施形態において、防水用弾性リング３０は、前部３１から後部３２に向かうにしたがって内周面３０ｃから外周面３０ｄまでの厚みが徐々に小さくなるように成形されていたが、前部３１より厚みが小さくなっていれば、後部３２の厚みは一定であってもよい。
【００４２】
（３）本実施形態において、コネクタハウジング１０をジャックコネクタのハウジングとして説明したが、他のコネクタ用のハウジングであってもよい。また、本体ケースは、複数個のコネクタハウジングを取付けるものであってもよい。
【符号の説明】
【００４３】
１      防水型電子機器
１０    コネクタハウジング
１０ａ  開口
１１    筒状部
１１ａ  外周部
１２    フランジ部
１２ａ  環状規制部
１３    本体部
２０    本体ケース
２０ａ  開口部
２１    取付部
２１ａ  取付孔
２２    環状圧接部
２３    凹部
２３ａ  ガイド部
３０    防水用弾性リング
３０ａ  開口
３０ｂ  弾接面
３０ｃ  内周面
３０ｄ  外周面
３１    前部
３２    後部
３３    環状突起部
３３ａ  テーパー面
６１    上パネル
６２    下パネル
１１０  コネクタハウジング
１１２  フランジ部
１３０  防水用弾性リング
ＯＤ    外径寸法
【図１】
2016096067.tif 000003
【図２】
2016096067.tif 000004
【図３】
2016096067.tif 000005
【図４】
2016096067.tif 000006
【図５】
2016096067.tif 000007
【図６】
2016096067.tif 000008
【図７】
2016096067.tif 000009
【図８】
2016096067.tif 000010
【図９】
2016096067.tif 000011
【図１０】
2016096067.tif 000012